【手続補正書】
【提出日】平成25年5月23日(2013.5.23)
【手続補正１】
【補正対象書類名】特許請求の範囲
【補正対象項目名】全文
【補正方法】変更
【補正の内容】
【特許請求の範囲】
【請求項１】
第１無線信号を用いて電力を発生させるよう構成されているパワーハーベスティングユニットと、
ある数のセンサから情報を受信するよう構成されているセンサインタフェースと、
該センサインタフェースを通じて該パワーハーベスティングユニットに接続されており、パワーハーベスティングユニットにより発生させた電力を用い、かつ、第２無線信号を用いて情報を送信するよう構成されている無線通信ユニットと、
パワーハーベスティングユニットおよび無線通信ユニットに接続されており、パワーハーベスティングユニットにより発生させた電力を用い、かつ、ある数のセンサから受信した情報の送信を制御するよう構成されているプロセッサユニットと、
を含む、車両の健全性監視装置。
【請求項２】
ある数のセンサが、航空機のためのある数の物理的な量を測定し、かつ、航空機のためのある数の物理的な量の測定に応答して、情報を生成するよう構成されている、請求項１に記載の装置。
【請求項３】
第１無線信号を受信し、かつ、第２無線信号を送信するよう構成されている無線インタフェースをさらに含み、該無線インタフェースが、アンテナシステムおよびある数の導波路のうちの少なくとも１つを含む、請求項１に記載の装置。
【請求項４】
チャネルを有する縦通材と、
チャネル内に位置している導波路と
をさらに含み、導波路が、ある数の無線信号を搬送するよう構成されており、かつ、無線通信ユニットが、導波路を介して第２無線信号を送信する、請求項１に記載の装置。
【請求項５】
第１無線信号が、導波路を介してパワーハーベスティングユニットに送信される、請求項４に記載の装置。
【請求項６】
パワーハーベスティングユニット、センサインタフェースおよび無線通信ユニットがセンサユニットを形成し、かつ、センサユニットおよび縦通材がネットワークデータ処理システムの一部である、請求項４に記載の装置。
【請求項７】
ある数のセンサが、温度、歪み、電気抵抗、圧力、加速度、力、騒音レベル、振動および湿気のうちの少なくとも１つを測定する、請求項１に記載の装置。
【請求項８】
情報を送信するための方法であって、
第１無線信号の受信に応答して、第１無線信号の少なくとも一部をセンサユニットのための電力へ変えること、
情報をセンサユニットへ送るよう構成されているある数のセンサから情報を受信すること、および、
センサユニットにより発生される第２無線信号において情報を送信すること
を含む方法。
【請求項９】
第１無線信号の少なくとも一部をセンサユニットのための電力へ変える工程が、
第１無線信号の少なくとも一部を電力へ変えるよう構成されているセンサユニット内のパワーハーベスティングユニットを用いて、第１無線信号の少なくとも一部をセンサユニットのための電力に変えること
を含む、請求項８に記載の方法。
【請求項１０】
パワーハーベスティングユニットが、第１無線信号の少なくとも一部を電力へ変えるよう構成された整流器を含む、請求項９に記載の方法。
【請求項１１】
基地局から第１無線信号を送信すること
をさらに含む、請求項８に記載の方法。
【請求項１２】
導波路を介してセンサユニットへ第１無線信号を送信すること
をさらに含む、請求項８に記載の方法。
【請求項１３】
基地局において第２無線信号中の情報を受信すること、および、
第２無線信号中の情報を処理すること
をさらに含む、請求項８に記載の方法。
【請求項１４】
ある数のセンサから情報を受信するよう構成されたセンサインタフェースと、
センサインタフェースおよびパワーハーベスティングユニットに接続され、パワーハーベスティングユニットにより発生させた電力を用い、かつ、第２無線信号を用いて情報を送信するよう構成された無線通信ユニットと
をさらに含む、請求項９に記載の方法。
【手続補正２】
【補正対象書類名】明細書
【補正対象項目名】０１２１
【補正方法】変更
【補正の内容】
【０１２１】
種々の有利な実施形態の説明は、例示および説明の目的で提示したものであり、かつ、網羅的であったり、開示された形式の実施形態に限定されたりすることは意図していない。多くの変更および変形例が、当業者にとって明らかであろう。
また、本願は以下に記載する態様を含む。
（態様１）
第１無線信号を用いて電力を発生させるよう構成されているパワーハーベスティングユニットと、
ある数のセンサから情報を受信するよう構成されているセンサインタフェースと、
センサインタフェースおよびパワーハーベスティングユニットに接続されており、パワーハーベスティングユニットにより発生させた電力を用い、かつ、第２無線信号を用いて情報を送信するよう構成されている無線通信ユニットと
を含む装置。
（態様２）
センサインタフェースに接続されているある数のセンサ
をさらに含む、態様１に記載の装置。
（態様３）
ある数のセンサが、航空機のためのある数の物理的な量を測定し、かつ、航空機のためのある数の物理的な量の測定に応答して、情報を生成するよう構成されている、態様１に記載の装置。
（態様４）
パワーハーベスティングユニットおよび無線通信ユニットに接続されており、パワーハーベスティングユニットにより発生させた電力を用い、かつ、ある数のセンサから受信した情報の送信を制御するよう構成されているプロセッサユニット
をさらに含む、態様２に記載の装置。
（態様５）
第１無線信号を受信し、かつ、第２無線信号を送信するよう構成されている無線インタフェース
をさらに含む、態様１に記載の装置。
（態様６）
無線インタフェースが、アンテナシステムおよびある数の導波路のうちの少なくとも１つを含む、態様５に記載の装置。
（態様７）
無線インタフェースが無線通信ユニットの一部である、態様５に記載の装置。
（態様８）
チャネルを有する縦通材と、
チャネル内に位置している導波路と
をさらに含み、導波路が、ある数の無線信号を搬送するよう構成されており、かつ、無線通信ユニットが、導波路を介して第２無線信号を送信する、態様１に記載の装置。
（態様９）
第１無線信号が、導波路を介してパワーハーベスティングユニットに送信される、態様８に記載の装置。
（態様１０）
パワーハーベスティングユニット、センサインタフェースおよび無線通信ユニットがセンサユニットを形成し、かつ、センサユニットおよび縦通材がネットワークデータ処理システムの一部である、態様８に記載の装置。
（態様１１）
ある数のセンサが、温度、歪み、電気抵抗、圧力、加速度、力、騒音レベル、振動および湿気のうちの少なくとも１つを測定する、態様２に記載の装置。
（態様１２）
情報を送信するための方法であって、
第１無線信号の受信に応答して、第１無線信号の少なくとも一部をセンサユニットのための電力へ変えること、
情報をセンサユニットへ送るよう構成されているある数のセンサから情報を受信すること、および、
センサユニットにより発生される第２無線信号において情報を送信すること
を含む方法。
（態様１３）
第１無線信号の少なくとも一部をセンサユニットのための電力へ変える工程が、
第１無線信号の少なくとも一部を電力へ変えるよう構成されているセンサユニット内のパワーハーベスティングユニットを用いて、第１無線信号の少なくとも一部をセンサユニットのための電力に変えること
を含む、態様１２に記載の方法。
（態様１４）
パワーハーベスティングユニットが、第１無線信号の少なくとも一部を電力へ変えるよう構成された整流器を含む、態様１３に記載の方法。
（態様１５）
基地局から第１無線信号を送信すること
をさらに含む、態様１２に記載の方法。
（態様１６）
導波路を介してセンサユニットへ第１無線信号を送信すること
をさらに含む、態様１２に記載の方法。
（態様１７）
基地局において第２無線信号中の情報を受信すること、および、
第２無線信号中の情報を処理すること
をさらに含む、態様１２に記載の方法。
（態様１８）
ある数のセンサから情報を受信するよう構成されたセンサインタフェースと、
センサインタフェースおよびパワーハーベスティングユニットに接続され、パワーハーベスティングユニットにより発生させた電力を用い、かつ、第２無線信号を用いて情報を送信するよう構成された無線通信ユニットと
をさらに含む、態様１３に記載の方法。